(57)【要約】【課題】  重曹を原料とするブラスト材を採用することで、回収および処理の手間やコストを削減でき、且つ下水道施設特有の硫酸の発生による酸性化を抑制できる極めて経済的で、利便性と実用性に秀れた下水道施設の洗浄方法を提供することが目的である。【解決手段】  下水道施設におけるコンクリート部位の洗浄方法であって、重曹を主材とするブラスト材１を前記コンクリート部位の硫酸によって腐食が生じた腐食劣化部に高圧噴射して該腐食劣化部の除去，剥離若しくは洗浄を行う方法である。【選択図】      図１
2005133515.tif 000002
【特許請求の範囲】
【請求項１】
下水道施設におけるコンクリート部位の洗浄方法であって、重曹を主材とするブラスト材を前記コンクリート部位の硫酸によって腐食が生じた腐食劣化部に高圧噴射して該腐食劣化部の除去，剥離若しくは洗浄を行うことを特徴とする下水道施設の洗浄方法。
【請求項２】
請求項１記載の下水道施設の洗浄方法において、腐食劣化部はコンクリート製の管きょ、コンクリート製の人孔、ポンプ場におけるコンクリート部位、下水処理場におけるコンクリート部位等における腐食劣化部であることを特徴とする下水道施設の洗浄方法。
【請求項３】
請求項１，２いずれか１項に記載の下水道施設の洗浄方法において、ブラスト材は、質量基準の平均粒子径が0.1〜5.0ｍｍの範囲であることを特徴とする下水道施設の洗浄方法。
【請求項４】
請求項１〜３いずれか１項に記載の下水道施設の洗浄方法において、ブラスト材の吹き付けは、移動可能なノズルにより行われることを特徴とする下水道施設の洗浄方法。
【発明の詳細な説明】
【技術分野】
【０００１】
本発明は、下水道施設の洗浄方法に関わるものである。
【背景技術】
【０００２】
下水道施設、例えば、コンクリート製の管きょは、下水中あるいは汚泥中の硫酸イオンから始まる硫酸塩還元細菌と硫黄酸化細菌の活動により硫黄循環が生じ、硫化水素から生成する硫酸による気相部でのコンクリートの腐食が発生する。このような硫酸によるコンクリートの腐食は管きょの破損の原因となっており、また、管きょの破損により、道路の陥没事故や下水の漏水による地下水や土壌汚染が生じる。従って、管きょの腐食防止は重要な課題である。
【０００３】
そこで、防食工事や管きょ更正工事等により管きょの補修や改築が行われるが、このような処置を施す前に、管きょの表面の洗浄や硫酸による腐食劣化部の除去作業が行われ、従来からこのような作業にサンドブラスト工法が用いられてきた。
【０００４】
このサンドブラスト工法はブラスト材を圧縮空気若しくは高圧水と混合して噴射し、腐食劣化部の除去，剥離若しくは洗浄を行うものである。
【０００５】
ところで、これまではブラスト材として、腐食劣化部の除去，剥離若しくは洗浄を物理的に行える点で秀れた硬度の高い珪砂が広く用いられてきた。
【０００６】
しかしながら、現在、珪砂は産業廃棄物として回収する義務が生じたため、回収および処理に多大なコストや手間が掛かるという問題とともに、珪砂は、下水道施設特有の硫酸等の発生による酸性化を抑制できないといった問題もあった。一方、ブラスト材として重曹を用いることが知られているが（特許文献１）、下水道施設の硫酸による腐食劣化部の除去に適用した例は知られていなかった。
【０００７】
【特許文献１】特開平１０−８６０６４号
【発明の開示】
【発明が解決しようとする課題】
【０００８】
本発明は、重曹を原料とするブラスト材を採用することで、回収および処理の手間やコストを削減でき、且つ下水道施設特有の硫酸の発生による酸性化を抑制できる極めて経済的で、利便性と実用性に秀れた下水道施設の洗浄方法を提供するものである。
【課題を解決するための手段】
【０００９】
添付図面を参照して本発明の要旨を説明する。
【００１０】
下水道施設におけるコンクリート部位の洗浄方法であって、重曹を主材とするブラスト材１を前記コンクリート部位の硫酸によって腐食が生じた腐食劣化部に高圧噴射して該腐食劣化部の除去，剥離若しくは洗浄を行うことを特徴とする下水道施設の洗浄方法に係るものである。
【００１１】
また、請求項１記載の下水道施設の洗浄方法において、腐食劣化部はコンクリート製の管きょ、コンクリート製の人孔、ポンプ場におけるコンクリート部位、下水処理場におけるコンクリート部位等における腐食劣化部であることを特徴とする下水道施設の洗浄方法に係るものである。
【００１２】
また、請求項１，２いずれか１項に記載の下水道施設の洗浄方法において、ブラスト材１は、質量基準の平均粒子径が0.1〜5.0ｍｍの範囲であることを特徴とする下水道施設の洗浄方法に係るものである。
【００１３】
また、請求項１〜３いずれか１項に記載の下水道施設の洗浄方法において、ブラスト材１の吹き付けは、移動可能なノズル３により行われることを特徴とする下水道施設の洗浄方法に係るものである。
【発明を実施するための最良の形態】
【００１４】
好適と考える本発明の実施の形態を、その作用効果を示して簡単に説明する。
【００１５】
本発明は、重曹を主材とするブラスト材１を下水道施設のコンクリート部位の腐食劣化部に高圧噴射して該腐食劣化部の除去，剥離若しくは洗浄を行うものである。
【００１６】
本発明は、下水道施設の腐食劣化部に高圧噴射するブラスト材１として、水溶性で且つ水に溶解した際に弱アルカリ性となる重曹を主材としたブラスト材１を採用しているため、珪砂を用いる従来の場合のような問題点は確実に解消されることとなる。
【００１７】
具体的には、従来のように珪砂をブラスト材１の主材とした場合、珪砂は水に溶解せず、洗浄の対象とした下水道施設内において、珪砂の滞留による堆積を引き起こし重大なトラブルをもたらす可能性が非常に高いため、使用済みの珪砂を産業廃棄物として回収・処理する必要があり、そのために多大なコストや手間が必要となる欠点がある。
【００１８】
また、珪砂と水の分散液は、弱酸性若しくは中性であるので、下水道施設特有の酸性化を中和により緩和することができない問題もある。
【００１９】
この点、本発明のブラスト材１の主材として使用する重曹は、従来より食品添加物や医薬品、飼料として用いられ、安全性が確認されたものであり、洗浄力が高く、且つ水溶性で、洗浄対象の下水道施設内において、滞留による堆積の要因とならない。さらに、本発明に係る重曹は、環境負荷が低いため、その水溶液を海、河川、湖水閉鎖領域に放流可能である。
【００２０】
従って、本発明に係る重曹を主材としたブラスト材１は、使用後に回収・処理を行う必要がないので、利便性と経済性に秀れたものとなる。
【００２１】
また、重曹と水との水溶液は、弱アルカリ性であるので、下水道施設特有の酸性化を中和により緩和することができることになる。
【００２２】
以上、本発明は、極めて実用性に秀れた下水道施設の洗浄方法となる。
【実施例１】
【００２３】
図１，２は本発明の実施例１を図示したものであり、以下に説明する。
【００２４】
本実施例は、下水道施設のコンクリート部位、例えば、コンクリート製の管きょ２の硫酸による腐食劣化部の除去，剥離若しくは洗浄を行う場合であって、具体的には重曹を原料とするブラスト材１をノズル３を用いて、該腐食劣化部に高圧噴射吹き付けする場合である。
【００２５】
尚、下水道施設内では、下水中あるは汚泥中の硫酸イオンから始まる硫酸塩還元細菌と硫黄酸化細菌の活動が卓越した硫黄循環が生じ、硫化水素から生成する硫酸により気相部でのコンクリートの腐食が発生する。
【００２６】
ノズル３は移動可能な円筒状の移動体５に設けられ、ホース４を介してブラスト材１を高圧供給する供給源（図面省略）と連設されている。
【００２７】
前記移動体５の側部には支持部７が設けられ、該支持部７の先端には車輪６が設けられている。前記移動体５のノズル３とホース４は、前記支持部７と前記車輪６とにより、常に管きょ２の中心に配設され、且つこの移動体５は該支持部７及び車輪６により前後方向へ移動自在に構成されている。
【００２８】
また、前記支持部７は、様々な管径の管きょ２で使用できるように、脱着若しくは伸縮可能に構成されている。具体的には、管径150ｍｍ以上の管きょ２であれば、前記支持部７を適宜脱着若しくは伸縮させることで、前記移動体５の使用が可能である。また、前記移動体５の全長は、管径600ｍｍの人孔から管きょ２に挿入しやすくするために、約500ｍｍ〜1000ｍｍとしている。
【００２９】
前記移動体５は、該移動体５の先端部分にワイヤ８を連設し、該ワイヤ８をウインチで引っ張ることで移動させる。このため、自走式ロボット（オート装置）のように故障等により途中停止することがない。また、前記移動体５が管きょ２内で故障しても、前記ワイヤ８若しくはホース４を引くことにより、前方若しくは後方へ前記移動体５を移動させることができ、よって、どちらの方向からも前記移動体５の回収が可能である。
【００３０】
尚、前記移動体５を人孔に用いる場合には、地上部から吊り下げるようにして作業を行う。
【００３１】
ブラスト材１の噴射について説明する。
【００３２】
ブラスト材１は、ノズル３から放射方向にして管きょ２の内面全周に吹き付けられるように噴射され、該ノズル３が移動体５により管きょ２の長さ方向に移動することで、該管きょ２は腐食劣化部が除去，剥離若しくは洗浄される。
【００３３】
前記ブラスト材１の供給は、圧縮空気と混合して供給される場合、タンクに貯蔵されたブラスト材１をコンプレッサーで圧縮した空気と混合させ、0.8〜数ＭＰａ以下の圧力で供給される。
【００３４】
また、高圧水と混合して供給される場合、タンクに貯蔵されたブラスト材１を高圧洗浄装置から噴出する高圧水と混合させ、400ＭＰａ以下の圧力で供給される。
【００３５】
また、噴射したブラスト材１の飛散や粉塵が問題となる場合や、ブラスト材１の噴射によるはつりガラ等を下流側へ押し流す必要がある場合には、前記移動体５から水９が噴射されるような構成としても良い。この場合、この水９の圧力を利用して、前記移動体５を移動させることも可能となる（自走式の移動体５）。
【００３６】
前記ブラスト材１を貯蔵するタンク等の設備や供給機器等の供給源は、管きょ２の外部に設けられることが一般的であるので、前記移動体５を用いて管きょ２内の噴射作業を長距離にわたって行うと、前記移動体５が前記供給源から遠く離れることになり、ノズル３からブラスト材１が噴出する噴出圧が低下し、洗浄やはつりの効果が低下する。そこで、移動体５にブラスト材１の供給部を内蔵あるいは接続するように構成すると、前記ブラスト材１の搬送距離が縮まり、ノズル３からの噴出圧の低下を防止できる。
【００３７】
次に、本実施例のブラスト材１について説明する。
【００３８】
ブラスト材１は、安全性に秀れ、環境負荷が低く、水溶性で環境中に放流可能で、水に溶解して弱アルカリ性となり、静菌作用や消臭作用を有する重曹を主材としている。
【００３９】
前記重曹を主材とするブラスト材１は、実験の結果、質量基準の平均粒子径が0.1〜5.0ｍｍの範囲のものが採用される。前記平均粒子径が0.1ｍｍ以下の場合、細かすぎて十分なブラスト効果が得られないので適当でなく、5.0ｍｍ以上の場合、ブラスト材１の搬送に多大な動力が必要となると共に、ノズル３を閉塞させるおそれがあることや、洗浄のための設備が大きくなりうることから適当ではない。
【００４０】
この平均粒子径は、ＪＩＳ標準篩を使用した自動測定装置SEISHIN−ROBOTSIFTER−RPS−95（株式会社セイシン企業）により測定された値で、質量基準の粒子径分布測定における平均粒子径である。
【００４１】
次に、本実施例のコンクリート部位について説明する。
【００４２】
本実施例のコンクリート部位は、硫酸によってコンクリート腐食が生じる鉄筋コンクリート製の管きょ２若しくは人孔や、ポンプ場、処理場等のコンクリート部位である。
【００４３】
本実施例は上記の構成としたから以下の作用効果を得る。
【００４４】
移動可能な円筒状の移動体５を用いることにより、管きょ２等の内面にブラスト材１をムラなく噴射できることとなる。従って、前記管きょ２等の腐食劣化部の除去，剥離若しくは洗浄が良好に出来、健全なコンクリートを露出させることが可能となる。
【００４５】
また、重曹粒子を用いた物理的洗浄効果により、それほど高い圧力で噴出させなくても効果的に洗浄が行え、比較的安全な噴射圧力で作業を行うことが可能で、水溶性且つ環境負荷が低く使用後に回収・処理の必要がないため利便性と経済性に優れたものとなる。
【００４６】
更に、重曹により下水道施設特有の酸性化が中和でき、細菌や悪臭により作業環境の悪い下水道施設内の静菌や消臭効果も発揮でき、作業環境が向上する。
【００４７】
次に、実施例１の効果確認の実験例を示す。
【００４８】
下水道施設の腐食劣化したコンクリートの圧縮強度を想定し、７Ｎ、15Ｎの試験片（49×49ｃｍ）を製作した。この試験片に対し、ブラスト材１として平均粒子径250μｍの重曹を、ブラスト材噴射機であるエコシャワーＳＢ400（株式会社エコグローバル研究所）を使用し、ブラストメディアの搬送媒体として0.5ＭＰａ、0.7ＭＰａの圧縮空気を使用し、2.5Ｋｇ／ｍｉｎの噴射量で噴射した結果を表１に示す。
【００４９】
この結果より、下水道施設のコンクリート腐食劣化部において、コンクリート表面を削剥させることが可能であることが確認できた。また、７Ｎ、15Ｎの試験片（49×49ｃｍ）に対し、夫々0.5ＭＰａ、0.7ＭＰａの圧縮空気のみを噴射した場合、コンクリート表面を削剥することはできないことも確認した。
【００５０】
【表１】
2005133515.tif 000003
【図面の簡単な説明】
【００５１】
【図１】本発明の実施例の使用状態の説明図である。
【図２】本発明の実施例の使用状態の説明図である。
【符号の説明】
【００５２】
１  ブラスト材
２  管きょ
３  ノズル
【図１】
2005133515.tif 000004
【図２】
2005133515.tif 000005